(57)【要約】  収納時に嵩張らない上に、組立作業が不要なサンバイザーを提供する。サンバイザー（１）は、装着者の頭部に装着されるサンバイザー（１）であって、第１のシート（１０）を備えている。前記シート（１０）は、被覆部（１２）及び張出部（１４）を有している。被覆部（１２）は、頭部を上方から覆う部分である。張出部（１４）は、頭部の周囲に張り出す部分である。被覆部（１２）には、複数の切目（２０）が形成されている。装着時、各切目（２０）が広がることにより、被覆部（１２）は、頭部の形状に沿って立体的に変形する。
2016203608.tif 000002
【特許請求の範囲】
【請求項１】
装着者の頭部に装着されるサンバイザーであって、  複数の切目を有し、前記頭部を上方から覆う被覆部と、  前記頭部の周囲に張り出す張出部と、を有する第１のシートを備え、  前記被覆部は、装着時、前記各切目が広がることにより、前記頭部の形状に沿って立体的に変形することを特徴とするサンバイザー。
【請求項２】
請求項１に記載のサンバイザーにおいて、  前記各切目は、第１の方向に沿って延びているサンバイザー。
【請求項３】
請求項２に記載のサンバイザーにおいて、  前記第１の方向は、前記頭部の前後方向に等しいサンバイザー。
【請求項４】
請求項２又は３に記載のサンバイザーにおいて、  前記複数の切目は、互いに平行な直線状をしているサンバイザー。
【請求項５】
請求項４に記載のサンバイザーにおいて、  前記複数の切目は、前記第１の方向に垂直な第２の方向に沿って中央から両端に近づくにつれて短くなるサンバイザー。
【請求項６】
請求項４又は５に記載のサンバイザーにおいて、  前記複数の切目のうち隣り合う２つの切目の間隔は、最大でも２ｃｍ以下であるサンバイザー。
【請求項７】
請求項６に記載のサンバイザーにおいて、  前記間隔は、最大でも１ｃｍ以下であるサンバイザー。
【請求項８】
請求項２乃至７の何れかに記載のサンバイザーにおいて、  前記被覆部は、前記第１の方向に垂直な第２の方向に沿って延びる複数の山折線と、前記第２の方向に沿って延びる複数の谷折線と、を有し、  前記複数の山折線と前記複数の谷折線とは、前記第１の方向に沿って交互に配設されているサンバイザー。
【請求項９】
請求項１乃至８の何れかに記載のサンバイザーにおいて、  前記複数の切目は、前記被覆部から前記張出部にかけて設けられているサンバイザー。
【請求項１０】
請求項１乃至９の何れかに記載のサンバイザーにおいて、  前記複数の切目は、前記被覆部の略全体にわたって設けられているサンバイザー。
【請求項１１】
請求項１乃至１０の何れかに記載のサンバイザーにおいて、  前記被覆部と前記張出部との境界には、第１の折目が形成されているサンバイザー。
【請求項１２】
請求項１乃至１１の何れかに記載のサンバイザーにおいて、  前記複数の切目の一端どうしを結ぶ線上に、第２の折目が形成されているサンバイザー。
【請求項１３】
請求項１２に記載のサンバイザーにおいて、  前記複数の切目の他端どうしを結ぶ線上に、第３の折目が形成されているサンバイザー。
【請求項１４】
請求項１乃至１３の何れかに記載のサンバイザーにおいて、  非装着時、前記第１のシートには、開口が存在しないサンバイザー。
【請求項１５】
請求項１乃至１４の何れかに記載のサンバイザーにおいて、  前記第１のシートは、紙製であるサンバイザー。  
【請求項１６】
請求項１乃至１５の何れかに記載のサンバイザーにおいて、  前記第１のシートから突出するように当該第１のシートに取り付けられた補助シートを備え、  前記補助シートは、装着時、前記頭部の周囲に張り出して、前記張出部と共に庇として機能するサンバイザー。
【請求項１７】
請求項１６に記載のサンバイザーにおいて、  前記補助シートは、前記第１のシートに対して着脱可能であるサンバイザー。
【請求項１８】
請求項１乃至１７の何れかに記載のサンバイザーにおいて、  前記被覆部と前記張出部とを有する第２のシートを備え、  前記第２のシートが前記第１のシート上に重ね合わされた状態で前記頭部に装着されるサンバイザー。
【請求項１９】
請求項１８に記載のサンバイザーにおいて、  前記第１及び第２のシートは、互いに異なる色をしているサンバイザー。
【請求項２０】
請求項１８又は１９に記載のサンバイザーにおいて、  装着時、前記第２のシートに形成された前記切目の隙間から、前記第１のシートの前記被覆部が露出するサンバイザー。
【請求項２１】
請求項１８乃至２０の何れかに記載のサンバイザーにおいて、  前記第２のシートに形成された前記複数の切目のパターンは、前記第１のシートに形成された前記複数の切目のパターンと異なるサンバイザー。
【請求項２２】
請求項２１に記載のサンバイザーにおいて、  前記第２のシートに形成された前記複数の切目の密度は、前記第１のシートに形成された前記複数の切目の密度よりも小さいサンバイザー。
【請求項２３】
請求項１８乃至２２の何れかに記載のサンバイザーにおいて、  前記第１のシートに形成された前記各切目と前記第２のシートに形成された前記各切目とは、同一の方向に沿って延びているサンバイザー。
【請求項２４】
請求項２３に記載のサンバイザーにおいて、  前記第１のシートに形成された前記複数の切目と前記第２のシートに形成された前記複数の切目とは、互いに平行な直線状をしているサンバイザー。
【請求項２５】
請求項２４に記載のサンバイザーにおいて、  前記第２のシートに形成された前記各切目は、前記第１のシートに形成された前記各切目と重ならない位置に設けられているサンバイザー。
【請求項２６】
請求項２４又は２５に記載のサンバイザーにおいて、  前記第２のシートに形成された前記複数の切目の本数は、前記第１のシートに形成された前記複数の切目の本数よりも少ないサンバイザー。
【請求項２７】
請求項１８乃至２６の何れかに記載のサンバイザーにおいて、  前記第１及び第２のシートは、形状及び大きさが略同一であるサンバイザー。
【発明の詳細な説明】
【技術分野】
【０００１】  本発明は、サンバイザーに関する。
【背景技術】
【０００２】  従来のサンバイザーとしては、例えば特許文献１に記載されたものがある。同文献に記載されたサンバイザーは、１枚のシートから組み立てられるように構成されている。シートには、ベルト部と庇部とが設けられている。庇部は、ベルト部の中央下部に連設されている。ベルト部と庇部との境界には、谷折線が形成されている。また、庇部には、上記谷折線と端部を共通にする円弧状の山折線が形成されている。【０００３】  このサンバイザーを組み立てる際には、谷折線に沿ってベルト部と庇部との境界を折り曲げた後、山折線に沿って庇部を折り返す。それにより、ベルト部の前方に突出した庇部を有するサンバイザーが得られる。この状態でベルト部を頭の周囲に巻き付けることにより、サンバイザーを装着することができる。
【先行技術文献】
【特許文献】
【０００４】
【特許文献１】特開２００１−４９５１５号公報
【発明の概要】
【発明が解決しようとする課題】
【０００５】  特許文献１に記載されたサンバイザーは、組立前は平坦なシート状をしているため、収納時に嵩張らないという利点がある。しかしながら、このサンバイザーは、装着に先立って、組み立てる必要がある。すなわち、庇部がベルト部の前方に突出した立体形状が得られるように、組立作業を行うことが必要不可欠である。かかる組立作業は、ユーザにとって負担となるものである。【０００６】  本発明は、上記課題に鑑みてなされたものであり、収納時に嵩張らない上に、組立作業が不要なサンバイザーを提供することを目的とする。
【課題を解決するための手段】
【０００７】  本発明によるサンバイザーは、装着者の頭部に装着されるサンバイザーであって、複数の切目を有し、上記頭部を上方から覆う被覆部と、上記頭部の周囲に張り出す張出部と、を有する第１のシートを備え、上記被覆部は、装着時、上記各切目が広がることにより、上記頭部の形状に沿って立体的に変形することを特徴とする。【０００８】  このサンバイザーにおいては、第１のシートに被覆部及び張出部が設けられている。すなわち、被覆部及び張出部は、共にシート状をしている。このため、非装着時にサンバイザーを嵩張らずに収納することができる。しかも、被覆部には、複数の切目が設けられている。装着時には、これらの切目が広がることにより、頭部の形状に沿って被覆部が立体的に変形するように構成されている。このため、当該サンバイザーは、組立作業を行わずに装着することが可能である。
【発明の効果】
【０００９】  本発明によれば、収納時に嵩張らない上に、組立作業が不要なサンバイザーが実現される。
【図面の簡単な説明】
【００１０】
【図１】本発明によるサンバイザーの第１実施形態を示す平面図である。
【図２】図１のサンバイザーが頭部に装着された状態を示す斜視図である。
【図３】装着時のサンバイザーを示す平面図である。
【図４】本発明によるサンバイザーの第２実施形態を示す斜視図である。
【図５】図４のサンバイザーにおける第２のシートを示す平面図である。
【図６】図４のサンバイザーが頭部に装着された状態を示す斜視図である。
【図７】装着時の第２のシートを示す平面図である。
【図８】本発明の一変形例を示す平面図である。
【図９】図８に示した被覆部の装着時の様子を説明するための図である。
【図１０】本発明の他の変形例を示す平面図である。
【図１１】切目の一変形例を説明するための平面図である。
【図１２】切目の他の変形例を説明するための平面図である。
【図１３】切目の他の変形例を説明するための平面図である。
【発明を実施するための形態】
【００１１】  以下、図面を参照しつつ、本発明の実施形態について詳細に説明する。なお、図面の説明においては、同一要素には同一符号を付し、重複する説明を省略する。（第１実施形態）
【００１２】  図１は、本発明によるサンバイザーの第１実施形態を示す平面図である。サンバイザー１は、装着者の頭部に装着されるサンバイザーであって、シート１０（第１のシート）を備えている。シート１０は、図中の上下左右方向について、上端及び下端が外側に膨らんだ弧状をしており、左端及び右端が直線状をしている。シート１０の材料としては、例えば、紙又はプラスチックを用いることができる。本実施形態においてサンバイザー１は、１枚のシート１０のみからなる。
【００１３】  シート１０は、被覆部１２及び張出部１４を有している。被覆部１２は、頭部を上方から覆う部分である。図１は、シート１０の外側の面（頭部に対向する面とは反対側の面）を示している。被覆部１２には、複数の切目２０が形成されている。各切目２０は、図中の上下方向（第１の方向）に沿って延びている。第１の方向は、装着時の頭部の前後方向に等しい。これらの切目２０は、互いに離間しており、交わることがない。本実施形態においては、全ての切目２０が互いに平行な直線状をしている。また、これらの切目２０は、等間隔で配設されている。すなわち、全ての切目２０について、隣り合う２つの切目２０の間隔は相互に等しい。当該間隔は、２ｃｍ以下であることが好ましく、１ｃｍ以下であることがより好ましい。
【００１４】  切目２０の長さについてみると、図中の左右方向（第２の方向）に沿って中央から両端に近づくにつれて短くなっている。すなわち、中央から比較的近い位置にある切目２０と中央から比較的遠い位置にある切目２０とを比べたとき、前者の方が後者よりも長い。第２の方向は、装着時の頭部の左右方向に等しい。図１からわかるように、切目２０は、被覆部１２の略全体にわたって設けられている。
【００１５】  張出部１４は、頭部の周囲に張り出す部分である。この張出部１４は、サンバイザー１の庇として機能する。張出部１４は、被覆部１２の周囲に設けられている。本実施形態において張出部１４は、図１中の上下方向について、被覆部１２の上側及び下側の２か所に存在する。装着時には、張出部１４のうち被覆部１２の上側に存在する部分が頭部の前方に張り出すとともに、被覆部１２の下側に存在する部分が頭部の後方に張り出す。上述の切目２０は、張出部１４まで延びている。すなわち、切目２０は、被覆部１２から張出部１４にかけて設けられている。
【００１６】  被覆部１２と張出部１４との境界には、折目３２，３３（第１の折目）が形成されている。折目３２は、被覆部１２と、張出部１４のうち被覆部１２の上側に存在する部分との境界に位置する。他方、折目３３は、被覆部１２と、張出部１４のうち被覆部１２の下側に存在する部分との境界に位置する。また、複数の切目２０の一端（シート１０の上端側の端部）どうしを結ぶ線上に折目３４（第２の折目）が形成されるとともに、他端（シート１０の下端側の端部）どうしを結ぶ線上に折目３５（第３の折目）が形成されている。さらに、折目３２と折目３４との間に、折目３６が形成されている。
【００１７】  これらの折目３２，３３，３４，３５，３６は、弧状をしている。具体的には、折目３２，３４，３６は、シート１０の上端側に膨らんだ弧状をしており、折目３３，３５は、シート１０の下端側に膨らんだ弧状をしている。また、折目３２，３３，３４，３５，３６は、谷折線である。装着時、各折目３２，３３，３４，３５，３６に沿ってシート１０を谷折りすることにより、庇として機能する張出部１４の角度を適宜調整することができる。
【００１８】  非装着時、シート１０は、平坦な形状をしている。すなわち、シート１０の面に垂直な方向に突出する部分は、存在しない。また、非装着時のシート１０には、開口が存在しない。
【００１９】  図２は、サンバイザー１が頭部に装着された状態を示す斜視図である。また、図３は、装着時のサンバイザー１を示す平面図である。これらの図に示すように、装着時、各切目２０が広がることにより、被覆部１２は、頭部の形状に沿って立体的に変形する。かかる装着状態を実現するには、例えば、被覆部１２を頭頂部に押し当てながら、シート１０の左右両端を手で引き下げればよい。広がった切目２０の隙間からは、頭髪ないし頭皮が露出する。このとき、張出部１４は、頭部の前方及び後方に張り出した状態となる。なお、図２及び図３においては、折目３２，３３，３４，３５，３６の図示を省略している。
【００２０】  サンバイザー１の効果を説明する。サンバイザー１においては、シート１０に被覆部１２及び張出部１４が設けられている。すなわち、被覆部１２及び張出部１４は、共にシート状をしている。このため、非装着時にサンバイザー１を嵩張らずに収納することができる。しかも、被覆部１２には、複数の切目２０が設けられている。装着時には、これらの切目２０が広がることにより、頭部の形状に沿って被覆部１２が立体的に変形するように構成されている。このため、サンバイザー１は、組立作業を行わずに装着することが可能である。したがって、収納時に嵩張らない上に、組立作業が不要なサンバイザー１が実現されている。
【００２１】  また、かかる構成のサンバイザー１によれば、装着時に切目２０が広がることにより隙間が形成されるため、風通しが良くなり、頭部が蒸れにくいという利点も得られる。
【００２２】  各切目２０は、第１の方向（頭部の前後方向）に沿って延びている。これにより、装着時に形成される開口（広がった各切目２０の隙間）も当該方向に延在する形状となるため、頭部の前後方向からサンバイザー１が受ける空気抵抗を小さく抑えることができる。このため、サンバイザー１を装着した状態で走ったり自転車に乗ったりした場合であっても、サンバイザー１が風圧で飛ばされにくくなる。
【００２３】  切目２０は、互いに平行な直線状をしている。かかる切目２０が形成された部分は、当該切目２０の延在方向（第１の方向）に平行な直線周りに曲がりやすくなる。このため、頭部の形状に沿って被覆部１２を容易に変形させることができる。
【００２４】  隣り合う２つの切目２０の間隔を小さくするほど、装着時の被覆部１２の形状を曲面に近づけることができる。そうすることにより、サンバイザー１のファッション性を高めることができるとともに、頭部の左右方向からサンバイザー１が受ける空気抵抗を小さく抑えることができる。かかる観点から、上記間隔は、２ｃｍ以下であることが好ましく、１ｃｍ以下であることがより好ましい。
【００２５】  切目２０は、第２の方向（頭部の左右方向）に沿って中央から両端に近づくにつれて短くなる。かかる長さの変化は、頭部の前後方向の長さの変化と同様である。すなわち、頭部を上から見たとき、その前後方向の長さも、中央から左右両端に近づくにつれて短くなる。したがって、このように切目２０の長さを変化させることにより、装着時に被覆部１２を頭部にフィットさせやすくなる。
【００２６】  切目２０は、被覆部１２から張出部１４にかけて設けられている。これにより、サンバイザー１を被る深さによって、頭部の周囲に張り出す張出部１４の長さを変化させることができる。例えば、サンバイザー１を深く被ることにより、張出部１４の一部（切目２０が形成されている部分）を頭部に密着させると、その分だけ頭部の周囲に張り出す部分の長さが短くなる。
【００２７】  非装着時、シート１０には、開口が存在しない。それゆえ、シート１０内には製造時に切除すべき部分が存在しないため、シート１０ひいてはサンバイザー１の製造が容易となる。
【００２８】  シート１０が紙製である場合、軽量なサンバイザー１を実現することができる。軽量化により、サンバイザー１の装着時の快適さを高めることができる。また、非装着時には、サンバイザー１の持ち運びが容易となる。（第２実施形態）
【００２９】  図４は、本発明によるサンバイザーの第２実施形態を示す斜視図である。サンバイザー２は、装着者の頭部に装着されるサンバイザーであって、シート１０に加えて、シート４０（第２のシート）を備えている。シート１０の構成は、第１実施形態で説明したとおりである。シート４０は、形状及び大きさがシート１０と略同一である。ただし、シート１０及びシート４０は、互いに異なる色をしている。例えば、シート１０を黄色、シート４０を緑色にすることが考えられる。シート４０の材料としては、例えば、紙又はプラスチックを用いることができる。サンバイザー２は、シート４０がシート１０上に重ね合わされた状態で頭部に装着される。
【００３０】  図５は、シート４０を示す平面図である。シート４０は、被覆部４２及び張出部４４を有している。被覆部４２は、頭部を上方から覆う部分である。同図は、シート４０の外側の面（シート１０に対向する面とは反対側の面）を示している。被覆部４２には、複数の切目５０が形成されている。各切目５０は、図中の上下方向（第１の方向）に沿って延びている。第１の方向は、装着時の頭部の前後方向に等しい。したがって、シート１０に形成された各切目２０とシート４０に形成された各切目５０とは、同一の方向に沿って延びている。
【００３１】  これらの切目５０は、互いに離間しており、交わることがない。本実施形態においては、全ての切目５０が互いに平行な直線状をしている。したがって、シート１０に形成された切目２０とシート４０に形成された切目５０とも、互いに平行である。また、これらの切目５０は、等間隔で配設されている。すなわち、全ての切目５０について、隣り合う２つの切目５０の間隔は相互に等しい。当該間隔は、２ｃｍ以下であることが好ましく、１ｃｍ以下であることがより好ましい。ただし、本実施形態において切目５０の間隔は、切目２０の間隔よりも大きい。
【００３２】  切目５０の長さについてみると、図５中の左右方向（第２の方向）に沿って中央から両端に近づくにつれて短くなっている。第２の方向は、装着時の頭部の左右方向に等しい。切目５０は、被覆部４２の略全体にわたって設けられている。
【００３３】  シート４０に形成された切目５０のパターンは、シート１０に形成された切目２０のパターンと異なる。ここで、両者のパターンが異なるとは、シート１０上にシート４０を重ねたとき、切目２０と切目５０とが完全には重なり合わないということである。本実施形態において各切目５０は、各切目２０と重ならない位置に設けられている。すなわち、切目２０と切目５０とは、互いに全く重なり合わないように配設されている。
【００３４】  シート４０に形成された切目５０の密度は、シート１０に形成された切目２０の密度よりも小さい。ここで、切目５０の密度は、切目５０の長さの合計をシート４０の面積で除して得られる値として定義される。同様に、切目２０の密度は、切目２０の長さの合計をシート１０の面積で除して得られる値として定義される。シート４０に形成された切目５０の本数は、シート１０に形成された切目２０の本数よりも少ない。
【００３５】  張出部４４は、頭部の周囲に張り出す部分である。この張出部４４は、シート１０の張出部１４と共に、サンバイザー２の庇として機能する。張出部４４は、被覆部４２の周囲に設けられている。本実施形態において張出部４４は、図５中の上下方向について、被覆部４２の上側及び下側の２か所に存在する。装着時には、張出部４４のうち被覆部４２の上側に存在する部分が頭部の前方に張り出すとともに、被覆部４２の下側に存在する部分が頭部の後方に張り出す。上述の切目５０は、張出部４４まで延びている。すなわち、切目５０は、被覆部４２から張出部４４にかけて設けられている。
【００３６】  シート４０の被覆部４２及び張出部４４は、それぞれシート１０の被覆部１２及び張出部１４に対応する位置に設けられている。すなわち、シート１０上にシート４０を重ねたとき、被覆部４２及び張出部４４は、それぞれ被覆部１２及び張出部１４と重なり合う。
【００３７】  被覆部４２と張出部４４との境界には、折目６２，６３が形成されている。折目６２は、被覆部４２と、張出部４４のうち被覆部４２の上側に存在する部分との境界に位置する。他方、折目６３は、被覆部４２と、張出部４４のうち被覆部４２の下側に存在する部分との境界に位置する。また、複数の切目５０の一端（シート４０の上端側の端部）どうしを結ぶ線上に折目６４が形成されるとともに、他端（シート４０の下端側の端部）どうしを結ぶ線上に折目６５が形成されている。さらに、折目６２と折目６４との間に、折目６６が形成されている。
【００３８】  これらの折目６２，６３，６４，６５，６６は、弧状をしている。具体的には、折目６２，６４，６６は、シート４０の上端側に膨らんだ弧状をしており、折目６３，６５は、シート４０の下端側に膨らんだ弧状をしている。また、折目６２，６３，６４，６５，６６は、谷折線である。装着時、各折目６２，６３，６４，６５，６６に沿ってシート４０を谷折りすることにより、庇として機能する張出部４４の角度を適宜調整することができる。
【００３９】  シート４０の折目６２，６３，６４，６５，６６は、それぞれシート１０の折目３２，３３，３４，３５，３６に対応する位置に設けられている。すなわち、シート１０上にシート４０を重ねたとき、折目６２，６３，６４，６５，６６は、それぞれ折目３２，３３，３４，３５，３６と重なり合う。
【００４０】  非装着時、シート４０は、平坦な形状をしている。すなわち、シート４０の面に垂直な方向に突出する部分は、存在しない。また、非装着時のシート４０には、開口が存在しない。
【００４１】  図６は、サンバイザー２が頭部に装着された状態を示す斜視図である。また、図７は、装着時のシート４０を示す平面図である。図６に示すように、サンバイザー２は、シート４０がシート１０上に重ね合わされた状態で頭部に装着される。このとき、図７に示すように、各切目５０が広がることにより、被覆部４２は、頭部の形状に沿って立体的に変形する。広がった切目５０の隙間からは、シート１０の被覆部１２が露出する。このとき、張出部４４は、張出部１４と共に、頭部の前方及び後方に張り出した状態となる。
【００４２】  サンバイザー２の効果を説明する。サンバイザー２においては、シート１０に加えてシート４０が設けられている。そして、サンバイザー２は、シート４０がシート１０上に重ね合わされた状態で頭部に装着される。このように複数のシート１０，４０を重ね合わせることにより、サンバイザー２のファッション性を高めることができる。特に本実施形態においてはシート１０及びシート４０が互いに異なる色をしているため、サンバイザー２のファッション性が一層高まる。
【００４３】  装着時、シート４０に形成された切目５０の隙間から、シート１０の被覆部１２が露出するように構成されている。これにより、装着時のサンバイザー２を上から見たとき、シート４０の色とシート１０の色とが交互に現れるため、サンバイザー２のファッション性が一層高まる。
【００４４】  シート４０に形成された切目５０のパターンは、シート１０に形成された切目２０のパターンと異なる。これにより、装着時に切目５０の隙間から被覆部１２が露出する構成を容易に実現することができる。特に本実施形態においては、各切目５０が各切目２０と重ならない位置に設けられている。これにより、切目５０の隙間の略全体から被覆部１２を露出させることができる。
【００４５】  シート４０に形成された切目５０の密度は、シート１０に形成された切目２０の密度よりも小さい。このように切目５０の密度を小さくすることにより、装着時の各切目５０の隙間が大きくなるため、切目５０の隙間から被覆部１２を視認しやすくなる。
【００４６】  シート４０に形成された切目５０の本数は、シート１０に形成された切目２０の本数よりも少ない。これにより、切目５０の密度が切目２０の密度よりも小さい構成を容易に実現することができる。
【００４７】  シート１０に形成された各切目２０とシート４０に形成された各切目５０とは、同一の方向（頭部の前後方向）に沿って延びている。このため、切目２０と切目５０とは、装着時に広がる方向も同一である。すなわち、これらの切目２０及び切目５０は、装着時、頭部の左右方向に広がる。これにより、シート１０とシート４０とを重ね合わせたままでも、サンバイザー２を容易に装着することができる。
【００４８】  シート４０に被覆部４２及び張出部４４が設けられている。すなわち、被覆部４２及び張出部４４は、共にシート状をしている。このため、非装着時にサンバイザー２を嵩張らずに収納することができる。しかも、被覆部４２には、複数の切目５０が設けられている。装着時には、これらの切目５０が広がることにより、頭部の形状に沿って被覆部４２が立体的に変形するように構成されている。このため、サンバイザー２は、組立作業を行わずに装着することが可能である。
【００４９】  各切目５０は、第１の方向（頭部の前後方向）に沿って延びている。これにより、装着時に形成される開口（広がった各切目５０の隙間）も当該方向に延在する形状となるため、頭部の前後方向からサンバイザー２が受ける空気抵抗を小さく抑えることができる。このため、サンバイザー２を装着した状態で走ったり自転車に乗ったりした場合であっても、サンバイザー２が風圧で飛ばされにくくなる。
【００５０】  切目５０は、互いに平行な直線状をしている。かかる切目５０が形成された部分は、当該切目５０の延在方向（第１の方向）に平行な直線周りに曲がりやすくなる。このため、頭部の形状に沿って被覆部４２を容易に変形させることができる。
【００５１】  隣り合う２つの切目５０の間隔を小さくするほど、装着時の被覆部４２の形状を曲面に近づけることができる。そうすることにより、サンバイザー２のファッション性を高めることができるとともに、頭部の左右方向からサンバイザー２が受ける空気抵抗を小さく抑えることができる。かかる観点から、上記間隔は、２ｃｍ以下であることが好ましく、１ｃｍ以下であることがより好ましい。
【００５２】  切目５０は、第２の方向（頭部の左右方向）に沿って中央から両端に近づくにつれて短くなる。このように切目５０の長さを変化させることにより、装着時に被覆部４２を頭部にフィットさせやすくなる。
【００５３】  切目５０は、被覆部４２から張出部４４にかけて設けられている。これにより、サンバイザー２を被る深さによって、頭部の周囲に張り出す張出部４４の長さを変化させることができる。
【００５４】  非装着時、シート４０には、開口が存在しない。それゆえ、シート４０内には製造時に切除すべき部分が存在しないため、シート４０ひいてはサンバイザー２の製造が容易となる。
【００５５】  シート４０が紙製である場合、軽量なサンバイザー２を実現することができる。軽量化により、サンバイザー２の装着時の快適さを高めることができる。また、非装着時には、サンバイザー２の持ち運びが容易となる。サンバイザー２のその他の効果は、第１実施形態で説明したとおりである。
【００５６】  本発明は、上記実施形態に限定されるものではなく、様々な変形が可能である。上記実施形態において、シート１０の被覆部１２には、図８に示すように、山折線７２と谷折線７４とが形成されていてもよい。これらの山折線７２及び谷折線７４は、切目２０の延在方向（第１の方向）と垂直な方向（第２の方向）に沿って延びている。そして、複数（本例においては３つ）の山折線７２と複数（本例においては２つ）の谷折線７４とが、第１の方向に沿って交互に配設されている。
【００５７】  この場合、図９に示すように、装着時に被覆部１２と頭部９０との間に隙間を設けることができる。詳細には、谷折線７４の部分が頭部に接する一方で、山折線７２の部分が頭部から離間することにより、当該山折線７２の部分と頭部９０との間に比較的大きな隙間が形成される。なお、同図は、被覆部１２のうち隣り合う２本の切目２０で挟まれた部分について、装着時の様子を横から見た図である。このように隙間が形成されることにより、風通しが一層良くなり、頭部の蒸れを効果的に抑えることができる。同様に、シート４０についても、かかる山折線７２及び谷折線７４を設けてもよいことは、言うまでもない。
【００５８】  上記実施形態においては、図１０に示すように、シート１０に補助シート８０が取り付けられていてもよい。補助シート８０は、シート１０から突出するようにシート１０に取り付けられている。この補助シート８０は、装着時、頭部の周囲に張り出して、張出部１４と共に庇として機能する。本例において補助シート８０は、頭部の前方に張り出すように設けられている。これにより、庇部分の長さが大きくなるため、シート１０による日除け効果を向上させることができる。
【００５９】  また、補助シート８０は、シート１０に対して着脱可能である。ここで、着脱可能とは、シート１０及び補助シート８０を損傷することなく、シート１０に対する補助シート８０の取り付け及び取り外しを容易に行えるということである。例えば、粘着テープ又は面ファスナーを用いることにより、シート１０に対して着脱可能な補助シート８０を実現することができる。このように補助シート８０がシート１０に対して着脱可能であることにより、補助シート８０が取り付けられた状態と補助シート８０が取り外された状態との２通りの使い方が可能となるため、装着者にとっての利便性が向上する。同様に、シート４０についても、かかる補助シート８０を設けてもよいことは、言うまでもない。
【００６０】  上記実施形態においては、切目２０が等間隔で配設された例を示した。しかし、切目２０は、不等間隔で配設されていてもよい。その場合、隣り合う２つの切目２０の間隔は、最大でも、２ｃｍ以下であることが好ましく、１ｃｍ以下であることがより好ましい。切目５０についても同様である。
【００６１】  上記実施形態においては、切目２０の延在方向（第１の方向）が頭部の前後方向に等しい場合を例示した。しかし、第１の方向は、任意であり、例えば頭部の左右方向に等しくてもよい。切目５０についても同様である。
【００６２】  上記実施形態においては、同一直線上に１つの切目２０のみが設けられた例を示した。しかし、図１１に示すように、同一直線上に複数の切目２０が設けられていてもよい。同図において、例えば直線Ａ−Ａ上には、３つの切目２０が形成されていることがわかる。切目５０についても同様である。
【００６３】  上記実施形態においては、直線状の切目２０を例示した。しかし、切目２０は、図１２及び図１３に示すように、曲線状をしていてもよい。切目５０についても同様である。図１２において、右半分の領域（シート１０の中央と右端との間の領域）にある切目２０は、右側に膨らんだ弧状をしている。他方、左半分の領域（シート１０の中央と左端との間の領域）にある切目２０は、左側に膨らんだ弧状をしている。
【００６４】  また、図１３において、被覆部１２及び張出部１４は、それらの境界部分を除いて、円形又は楕円形に近い形状をしている。被覆部１２に形成された切目２０は、相異なる径を有する複数の同心の円周に沿って配設されている。詳細には、切目２０は、各円周に沿って断続的に形成されている。張出部１４には、弧状の折目３８が形成されている。
【００６５】  上記実施形態においては、シート４０に形成された切目５０の密度がシート１０に形成された切目２０の密度よりも小さい場合を例示した。しかし、切目５０の密度は、切目２０の密度より大きくてもよいし、切目２０の密度に等しくてもよい。
【００６６】  上記実施形態においては、シート１０とシート４０とが同一の形状及び大きさをしている場合を例示した。しかし、シート１０とシート４０とは、相異なる形状又は大きさをしていてもよい。
【００６７】  上記実施形態においては、１枚のシート（シート１０）からなるサンバイザー、あるいは２枚のシート（シート１０，４０）が重ね合わされてなるサンバイザーを例示した。しかし、本発明によるサンバイザーは、３枚以上のシートが重ね合わされてなるものであってもよい。その場合、各シートの色を異ならしめることにより、サンバイザーのファッション性を向上させることができる。
【符号の説明】
【００６８】１  サンバイザー２  サンバイザー１０  シート（第１のシート）１２  被覆部１４  張出部２０  切目３２，３３  折目（第１の折目）３４  折目（第２の折目）３５  折目（第３の折目）３６  折目３８  折目４０  シート（第２のシート）４２  被覆部４４  張出部５０  切目６２，６３  折目６４  折目６５  折目６６  折目７２  山折線７４  谷折線８０  補助シート
【図１】
2016203608.tif 000003
【図２】
2016203608.tif 000004
【図３】
2016203608.tif 000005
【図４】
2016203608.tif 000006
【図５】
2016203608.tif 000007
【図６】
2016203608.tif 000008
【図７】
2016203608.tif 000009
【図８】
2016203608.tif 000010
【図９】
2016203608.tif 000011
【図１０】
2016203608.tif 000012
【図１１】
2016203608.tif 000013
【図１２】
2016203608.tif 000014
【図１３】
2016203608.tif 000015
【国際調査報告】
2016203608.tif 000016
2016203608.tif 000017